(57)【要約】  【課題】可燃性冷媒を用いて冷却を行う自動販売機において、冷媒漏れを検知した場合に、販売を停止して安全性をさらに向上させる。  【解決手段】冷媒漏れを検知することができる冷媒漏れ検知手段１と、商品を収納している庫内に外気を導入して庫内の空気を循環させるためのファンモータを動作させるファン動作手段２と、商品の販売を停止させることができる販売停止手段３とに接続された演算制御部６ａとからなり、演算制御部６ａは、冷媒漏れ検知手段１により冷媒が漏れたことを検知した場合、ファン動作手段２によりファンモータを動作させて庫内に外気を導入し冷媒の濃度を低下させ、販売停止手段３にて商品の販売を停止して商品選択ボタンにて売切れ表示を行い、安全性を向上させる。【選択図】図１
2009259026.tif 000002
【特許請求の範囲】
【請求項１】
可燃性冷媒を用いて冷却を行う自動販売機において、冷媒漏れを検知することができる冷媒漏れ検知手段と、商品を収納している庫内に外気を導入して庫内の空気を循環させるためのファンモータを動作させるファン動作手段と、商品の販売を停止させることができる販売停止手段とに接続された演算制御部とからなり、前記演算制御部は、前記冷媒漏れ検知手段により冷媒が漏れたことを検知した場合、前記ファン動作手段によりファンモータを動作させて庫内に外気を導入するとともに、前記販売停止手段にて商品の販売を停止することを特徴とした自動販売機の制御装置。
【請求項２】
前記冷媒漏れ検知手段により冷媒が漏れたことを検知した場合に前記販売停止手段にて販売を停止するかどうかを決定する販売停止設定を備え、前記演算制御部は、前記冷媒漏れ検知手段により冷媒が漏れたことを検知した場合、前記販売停止設定により販売を停止させないようにすることができることを特徴とした請求項１に記載の自動販売機の制御装置。
【請求項３】
前記冷媒漏れ検知手段により冷媒が漏れたことを検知した場合に外部に知らせるための表示手段を備え、前記演算制御部は、前記冷媒漏れ検知手段により冷媒が漏れたことを検知した場合、前記表示手段にて故障コードなどを表示させることを特徴とした請求項１または２に記載の自動販売機の制御装置。
【請求項４】
前記冷媒漏れ検知手段により冷媒が漏れたことを検知した場合に外部に知らせるための音声発生手段を備え、前記演算制御部は、前記冷媒漏れ検知手段により冷媒が漏れたことを検知した場合、前記音声発生手段にて音声を発生させ外部に知らせることを特徴とした請求項１から３のいずれか一項に記載の自動販売機の制御装置。
【請求項５】
前記冷媒漏れ検知手段により冷媒が漏れたことを検知した場合に庫内を冷却する冷却機および加温する加温機の運転を停止することができる冷加温停止手段を備え、前記演算制御部は、前記冷媒漏れ検知手段により冷媒が漏れたことを検知した場合、前記冷加温停止手段により冷却機および加温機の運転を停止することを特徴とした請求項１から４のいずれか一項に記載の自動販売機の制御装置。
【発明の詳細な説明】
【技術分野】
【０００１】
本発明は、自動販売機における制御装置に関するものである。
【背景技術】
【０００２】
従来の自動販売機における制御装置には、冷媒漏洩センサの信号を基に冷却機を停止し、ファンモータにて漏れた冷媒を庫外に排気する制御装置について開示したものがある（例えば、特許文献１参照）。
【特許文献１】特開２００１−１３４８２７号公報
【発明の開示】
【発明が解決しようとする課題】
【０００３】
しかしながら、前記従来の自動販売機の制御装置では冷媒が漏れた場合にすぐに外部から異常状態であることがわからないという問題があった。
【０００４】
本発明は前記従来の課題を解決するもので、冷媒が漏れた場合に販売を停止して商品選択ボタンにて売切れ表示を行うことですぐに外部に異常状態であることを知らせることができ、また販売の際のリレーのＯＮ／ＯＦＦなどによる冷媒への発火要因を極力抑えることで安全性のさらなる向上を目的としている。
【課題を解決するための手段】
【０００５】
前記従来の課題を解決するために、本発明の自動販売機の制御装置は、可燃性冷媒を用いて冷却を行う自動販売機において、冷媒漏れを検知することができる冷媒漏れ検知手段と、商品を収納している庫内に外気を導入して庫内の空気を循環させるためのファンモータを動作させるファン動作手段と、商品の販売を停止させることができる販売停止手段とに接続された演算制御部とからなり、前記演算制御部は、前記冷媒漏れ検知手段により冷媒が漏れたことを検知した場合、前記ファン動作手段によりファンモータを動作させて庫内に外気を導入するとともに、前記販売停止手段にて商品の販売を停止するものである。
【０００６】
これにより、冷媒が漏れた場合に販売を停止して商品選択ボタンにて売切れ表示を行うことで異常を知らせることができるとともに、商品販売の際のリレーのＯＮ／ＯＦＦなどによる冷媒への発火要因を極力抑えることができる。
【発明の効果】
【０００７】
本発明の自動販売機の制御装置は、冷媒が漏れた場合に販売を停止して商品選択ボタンにて売切れ表示を行うことですぐに外部に異常状態であることを知らせることができ、また商品販売の際のリレーのＯＮ／ＯＦＦなどによる冷媒への発火要因を極力抑えることで安全性をさらに向上させることができる。
【発明を実施するための最良の形態】
【０００８】
請求項１に記載の発明は、可燃性冷媒を用いて冷却を行う自動販売機において、可燃性冷媒を用いて冷却を行う自動販売機において、冷媒漏れを検知することができる冷媒漏れ検知手段と、商品を収納している庫内に外気を導入して庫内の空気を循環させるためのファンモータを動作させるファン動作手段と、商品の販売を停止させることができる販売停止手段とに接続された演算制御部とからなり、前記演算制御部は、前記冷媒漏れ検知手段により冷媒が漏れたことを検知した場合、前記ファン動作手段によりファンモータを動作させて庫内に外気を導入するとともに、前記販売停止手段にて商品の販売を停止するものであり、商品選択ボタンにて売切れ表示を行うことですぐに外部に異常状態であることを知らせることができ、また販売の際のリレーのＯＮ／ＯＦＦなどによる冷媒への発火要因を極力抑えることで安全性を向上できる。
【０００９】
請求項２に記載の発明は、請求項１に記載の発明において、前記冷媒漏れ検知手段により冷媒が漏れたことを検知した場合に前記販売停止手段にて販売を停止するかどうかを決定する販売停止設定を備え、前記演算制御部は、前記冷媒漏れ検知手段により冷媒が漏れたことを検知した場合、前記販売停止設定により販売を停止させないようにすることができるものであり、ユーザーの選択により販売機会損失を減らすことができる。
【００１０】
請求項３に記載の発明は、請求項１または２に記載の発明において、前記冷媒漏れ検知手段により冷媒が漏れたことを検知した場合に外部に知らせるための表示手段を備え、前記演算制御部は、前記冷媒漏れ検知手段により冷媒が漏れたことを検知した場合、前記表示手段にて故障コードなどを表示させるものであり、迅速なメンテナンスを促すことができる。
【００１１】
請求項４に記載の発明は、請求項１から３のいずれか一項に記載の発明において、前記冷媒漏れ検知手段により冷媒が漏れたことを検知した場合に外部に知らせるための音声発生手段を備え、前記演算制御部は、前記冷媒漏れ検知手段により冷媒が漏れたことを検知した場合、前記音声発生手段にて音声を発生させ外部に知らせるものであり、異常状態をさらにわかりやすくでき、迅速なメンテナンスを促すことができる。
【００１２】
請求項５に記載の発明は、請求項１から４のいずれか一項に記載の発明において、前記冷媒漏れ検知手段により冷媒が漏れたことを検知した場合に庫内を冷却する冷却機および加温する加温機の運転を停止することができる冷加温停止手段を備え、前記演算制御部は、前記冷媒漏れ検知手段により冷媒が漏れたことを検知した場合、前記冷加温停止手段により冷却機および加温機の運転を停止するものであり、冷却機および加温機動作時の冷媒への発火要因をさらに低減させ安全性を向上することができる。
【００１３】
以下、本発明の実施の形態について、図面を参照しながら説明する。なお、この実施の形態によってこの発明が限定されるものではない。
【００１４】
（実施の形態１）
図１は、本発明の実施の形態１による自動販売機の制御装置の機能ブロック図である。図２は、同実施の形態の自動販売機の制御装置の動作を示すフローチャートである。
【００１５】
図１において、冷媒漏れ検知手段１はセンサなどで可燃性冷媒の漏れを検知することができ、ファン動作手段２は商品を収納している庫内に外気を導入して庫内の空気を循環させ冷媒の濃度を低下させるためのファンモータを動作させることができ、販売停止手段３は商品の販売を停止させ商品選択ボタンの売切れ表示を点灯させることができ、販売停止設定４は冷媒漏れ検知手段１にて可燃性冷媒の漏れを検知した際に販売停止手段３により販売を停止するかどうかを決定することができ、表示手段５は冷媒漏れを検知した際に故障コードなどを表示することができる。
【００１６】
演算制御部６ａは、冷媒漏れ検知手段１にて可燃性冷媒の漏れを検知した場合、ファン動作手段２により庫外の空気を庫内に取り入れ冷媒の濃度を低下させ、表示手段５により故障コードを表示して外部の人に異常を知らせ、販売停止設定４の設定に従って、販売停止手段３により販売を停止させて商品選択ボタンの売切れ表示を行うことができる。
【００１７】
以上のように構成された自動販売機の制御装置について、図２を用いて以下その動作を説明する。
【００１８】
ガスセンサなどの冷媒漏れ検知手段１にて可燃性冷媒が漏れているかどうかを判定し（ＳＴＥＰ１１）、可燃性冷媒が漏れている場合は、ファン動作手段２にてファンモータを動作させて庫外の空気を庫内に取り入れ冷媒の濃度を低下させ（ＳＴＥＰ１２）、表示手段５にて故障コードなどを表示して外部に異常を知らせ（ＳＴＥＰ１３）、販売停止設定４の設定値を確認して（ＳＴＥＰ１４）、販売停止を行う場合は販売停止手段３にて販売停止を行い商品選択ボタンの売切れ表示にて異常を知らせるとともに安全性を向上させる（ＳＴＥＰ１５）。
【００１９】
以上のように本実施の形態の自動販売機の制御装置によれば、可燃性冷媒が漏れた場合に販売を停止して商品選択ボタンにて売切れ表示を行うことですぐに外部に異常状態であることを知らせることができ、また商品販売の際のリレーのＯＮＯＦＦなどによる冷媒への発火要因を極力抑えることで安全性をさらに向上させることができる。また販売停止設定４を設けることで、ユーザーの選択により販売機会損失を減らすことができる。
【００２０】
（実施の形態２）
図３は、本発明の実施の形態２による自動販売機の制御装置の機能ブロック図である。図４は、同実施の形態の自動販売機の制御装置の動作を示すフローチャートである。なお実施の形態１と同一構成のものは、同一符号を付してその詳細な説明を省略する。
【００２１】
図３において、音声発生手段７は冷媒漏れを検知した際にブザー音などの音声を発生させて外部に異常を知らせることができ、冷加温停止手段８は冷媒漏れを検知した際に冷却機および加温機の運転を停止させることができる。
【００２２】
演算制御部６ｂは、冷媒漏れを検知した場合に音声発生手段７にて外部に異常を知らせ、冷加温停止手段８にて冷却機および加温機の運転を停止することができる。
【００２３】
以上のように構成された自動販売機の制御装置について、図４を用いて以下その動作を説明する。
【００２４】
ガスセンサなどの冷媒漏れ検知手段１にて可燃性冷媒が漏れているかどうかを判定し（ＳＴＥＰ２１）、可燃性冷媒が漏れている場合は、ファン動作手段２にてファンモータを動作させて庫外の空気を庫内に取り入れ冷媒の濃度を低下させ（ＳＴＥＰ２２）、表示手段５にて故障コードなどを表示して外部に異常を知らせ（ＳＴＥＰ２３）、音声発生手段７にてブザー音などを発生させて外部に異常を知らせ（ＳＴＥＰ２４）、冷加温停止手段８にて冷却機および加温機の運転を停止させる（ＳＴＥＰ２５）。販売停止設定４の設定値を確認して（ＳＴＥＰ２６）、販売停止を行う場合は販売停止手段３にて販売停止を行い商品選択ボタンの売切れ表示にて異常を知らせるとともに安全性を向上させる（ＳＴＥＰ２７）。
【００２５】
以上のように本実施の形態の自動販売機の制御装置によれば、冷媒漏れを検知した場合、周囲の環境によってランプや表示だけでの異常状態通知が不十分な際に、ブザー音などで外部に異常を知らせることで、的確に異常発生を知らせることができる。また冷却機や加温機の動作を停止させることで、リレーのＯＮＯＦＦなどによる冷媒への発火要因を低減させて安全性を向上させることができる。
【産業上の利用可能性】
【００２６】
以上のように、本発明にかかる自動販売機の制御装置は、可燃性冷媒が漏れた場合に販売を停止して商品選択ボタンにて売切れ表示を行うことですぐに外部に異常状態であることを知らせることができるので、可燃性冷媒を用いた販売機器等の用途にも適用できる。
【図面の簡単な説明】
【００２７】
【図１】本発明の実施の形態１による自動販売機の制御装置の機能ブロック図
【図２】同実施の形態による自動販売機の制御装置の動作を示すフローチャート
【図３】本発明の実施の形態２による自動販売機の制御装置の機能ブロック図
【図４】同実施の形態による自動販売機の制御装置の動作を示すフローチャート
【符号の説明】
【００２８】
１  冷媒漏れ検知手段
２  ファン動作手段
３  販売停止手段
４  販売停止設定
５  表示手段
６ａ，６ｂ  演算制御部
７  音声発生手段
８  冷加温停止手段
【図１】
2009259026.tif 000003
【図２】
2009259026.tif 000004
【図３】
2009259026.tif 000005
【図４】
2009259026.tif 000006